(57)【要約】本発明は、弁体（１）と、該弁体（１）に支承された絞り体（２）とを備えたスライド弁に関する。従来よりも少ない製作手間をかけるだけでも良好なシール性が保証され、それゆえに一層廉価に製造され得るようなスライド弁を提供するために、本発明の構成では、絞り体（２）が、該絞り体（２）の軸方向に延びるスリット（３）を備えている。
2006511761.tif 000002
【特許請求の範囲】
【請求項１】
弁体と、該弁体に支承された絞り体とを備えたスライド弁において、絞り体（２）が、該絞り体（２）の軸方向に延びるスリット（３）を備えていることを特徴とするスライド弁。
【請求項２】
絞り体（２）が実質的に、スリットを備えた中空円筒体として形成されている、請求項１記載のスライド弁。
【請求項３】
絞り体（２）が弾性的な材料から成っている、請求項１または２記載のスライド弁。
【請求項４】
絞り体（２）が、該絞り体（２）を収容する弁座（７）に比べて過剰寸法を有している、請求項１から３までのいずれか１項記載のスライド弁。
【請求項５】
弁座（７）の、弁体（１）に向けられた側が、面取り部（８）を備えている、請求項１から４までのいずれか１項記載のスライド弁。
【請求項６】
挿入された状態で絞り体（２）のスリット（３）が完全にまたはほぼ完全に閉じられるように絞り体（２）が弁座（７）によって押し縮め可能である、請求項１から５までのいずれか１項記載のスライド弁。
【請求項７】
絞り体（２）がスナップ結合部を介して弁体（１）に保持されている、請求項１から６までのいずれか１項記載のスライド弁。
【請求項８】
弁体（１）の、絞り体（２）に向けられた端部が、円錐台形状の付設部（５）を有している、請求項１から７までのいずれか１項記載のスライド弁。
【請求項９】
円錐台形状の付設部（５）がアンダカット部（６）を備えている、請求項１から８までのいずれか１項記載のスライド弁。
【請求項１０】
絞り体（２）の、弁体（１）に向けられた端部が、前記アンダカット部（６）内に係合する、内方に向けられた環状隆起部（４）を備えている、請求項１から９までのいずれか１項記載のスライド弁。
【請求項１１】
絞り体（２）に設けられた前記スリット（３）が、前記環状隆起部（４）をも貫いて延びている、請求項１から１０までのいずれか１項記載のスライド弁。
【発明の詳細な説明】
【技術分野】
【０００１】
本発明は、弁体と、該弁体に支承された絞り体とを備えたスライド弁に関する。
【０００２】
このような形式のスライド弁は公知先行技術において、たとえばドイツ連邦共和国特許第４２４１７０１号明細書に基づき十分に知られている。このようなスライド弁において良好なシール性が保証され得るようにするためには、絞り体と弁座とが高い精度で製作されなければならない。このことは手間がかかり、ひいては高価となる。
【０００３】
したがって、本発明の課題は、従来よりも少ない製作手間をかけるだけでも良好なシール性が保証され、それゆえに一層廉価に製造され得るようなスライド弁を提供することである。
【０００４】
この課題は、請求項１に記載の特徴により解決される。有利な改良形は請求項２以下に記載されている。
【０００５】
２つの部分から成るスライド弁はこの場合、金属から成っており、絞り体はプラスチックから成っている。絞り体の形状は円筒状に形成されていて、案内孔内に差し込まれる。調節された位置に関連して、つまりスライド弁の引出しもしくはねじ込みに関連して、容積流が通流する横方向孔が完全に、または部分的にのみ閉鎖される。
【０００６】
本発明によるスライド弁は、著しく廉価な製造において良好なシール性を保証することができる。なぜならば、絞り体がそのスリットに基づいて周方向に弾性的に変形し、そして弁座に密に当て付けられ得るので、絞り体の公差に対して極端に高い要求が課せられなくて済むからである。絞り体の高い弾性率に基づき、弁座におけるひっかかりも阻止され得るので、本発明によるスライド弁は、より小さな製作コストと共に改善された機能性をも提供する。本発明の有利な改良形では、絞り体がほぼ、スリットを備えた中空円筒体として形成されている。このようなジオメトリ（幾何学的形状）は簡単に製作され得るので、弁座に対してもその形状付与に関して高められた要求を課さない。したがって、このような手段は全体的に廉価な製造のために役立つ。
【０００７】
良好なシール作用を得ることができるようにするためには、絞り体が弾性的な材料から成っていると有利である。これにより、弁座に対する絞り体の密な当付けが保証される。
【０００８】
本発明の別の有利な改良形では、絞り体が、該絞り体を収容する弁座に比べて過剰寸法を有している。これにより、弁座に挿入された絞り体が強制的に変形させられ、ひいては弁座に密に接触することが容易に達成される。
【０００９】
絞り体が弁座内へ容易に導入され得るようにするために、本発明のさらに別の改良形では、弁座の、弁体に向けられた側が、面取り部を備えている。
【００１０】
本発明のさらに別の有利な改良形では、挿入された状態で絞り体のスリットが完全にまたはほぼ完全に閉じられるように絞り体が弁座によって押し縮め可能である。このように構成されていると、弁座内での絞り体の特に密でかつぴたりと嵌合した当付けが達成される。絞り体を弁体に簡単に固定するために、本発明のさらに別の有利な改良形では、絞り体がスナップ結合部を介して弁体に保持されている。このようなスナップ結合部は簡単に製造され得るが、それにもかかわらず付加的に高い保持力において絞り体と弁体との確実な結合を保証する。
【００１１】
スナップ結合部を容易に嵌合させることができるようにするために、本発明のさらに別の有利な改良形では、弁体の、絞り体に向けられた端部が、円錐台形状の付設部を有している。
【００１２】
円錐台形状の付設部はアンダカット部を備えていると有利である。このことは弁体における絞り体の確実な支承を可能にする。
【００１３】
アンダカット部を用いて確実な結合を成立させることができるようにするために、本発明のさらに別の有利な改良形では、絞り体の、弁体に向けられた端部が、前記アンダカット部内に係合する、内方に向けられた環状隆起部を備えている。これにより、弁体における絞り体の、遊びなしの支承を確保することができる。
【００１４】
本発明のさらに別の有利な改良形では、絞り体に設けられた前記スリットが、前記環状隆起部をも貫いて延びている。したがって、一方では弁体に設けられた円錐台形状の付設部は組立て時に、環状隆起部がアンダカット部内にスナップインするまで、スリット付の絞り体を軽度に拡開させることができ、他方では弁座内での絞り体の良好な変形可能性が確保され得る。
【００１５】
本発明のさらに別の特徴および利点は、以下の有利な実施例の説明から明らかとなる。
【００１６】
図１は、弁体と絞り体とを備えた本発明によるスライド弁を示す分解斜視図であり、
図２は、本発明によるスライド弁の絞り体の断面図であり、
図３は、弁体の下側の部分と、取り付けられた絞り体とを示す断面図であり、
図４は、ハウジング内に挿入されたスライド弁の断面図である。
【００１７】
図１〜図４には、本発明によるスライド弁の有利な実施例が図示されており、以下に図１〜図４につきこの実施例を詳しく説明する。
【００１８】
図１には、本発明によるスライド弁が分解された状態で図示されている。スライド弁を調節するためには、ねじ山が設けられている。このねじ山は案内孔内部に設けられた雌ねじ山と協働する。スライド弁を調節するためのヘッド（詳しくは図示しない）には、環状のシール部材が設けられている。図面からは、弁体１と、この弁体１から分離されたほぼ中空円筒状の絞り体２とが認められる。この絞り体２は、絞り体２の軸方向に延びるスリット３を備えており、このスリット３は絞り体２の全高にわたって延びている。絞り体２の、弁体１に向けられた端部は、内方へ向けられた環状隆起部４を備えている（図２参照）。この環状隆起部４は同じくスリット付けされている。しかし、この環状隆起部４にスリット３を設けないことも可能である。
【００１９】
弁体１の、絞り体２に向けられた端部は、円錐台形状の付設部５を備えている。この付設部５の細い方の端部が絞り体２に向けられている。円錐台形状の付設部５の太い方の端部はアンダカット部６を備えている。このアンダカット部６内には、絞り体２が弁体１に固定されている場合に、絞り体２の環状隆起部４が係合している。
【００２０】
絞り体２は弁座７内に往復運動可能に支承されている。弁座７に比べて過剰寸法を持って製作された絞り体２を弁座７内へ容易に押し込むことができるようにするためには、弁座７の、絞り体２もしくは弁体１に向けられた端部が面取り部８を備えている。この面取り部８は、弁座７内への挿入時における絞り体２の弾性変形をも容易にする。
【００２１】
上で説明した本発明の実施例は単に説明目的のために用いられるものであって、本発明自体を制限するものではない。本発明の枠内では、本発明の範囲から逸脱することなしに種々の変更および改良が可能となる。このようなスライド弁は、弁が必要とされるあらゆる使用分野のために使用され得る。このことは特にハイドロリック式のドアクロージャおよび開きドア駆動装置に云える。
【００２２】
簡単な組付け、スナップ結合の高い保持力および絞り体２の高い弾性率が得られ、ひいては良好なシール性が得られると同時に、案内孔内でのひっかかりが生じなくなるという利点が得られる他に、本発明によるスライド弁は良好な熱安定性の点でもすぐれている。絞り区間もしくは絞りギャップ長さが短くなればなるほど、熱安定性はますます大きくなる。
【図面の簡単な説明】
【００２３】
【図１】弁体と絞り体とを備えた本発明によるスライド弁を示す分解斜視図である。
【００２４】
【図２】本発明によるスライド弁の絞り体の断面図である。
【００２５】
【図３】弁体の下側の部分と、取り付けられた絞り体とを示す断面図である。
【００２６】
【図４】ハウジング内に挿入されたスライド弁の断面図である。
【図１】
2006511761.tif 000003
【図２】
2006511761.tif 000004
【図３】
2006511761.tif 000005
【図４】
2006511761.tif 000006
【国際調査報告】
2006511761.tif 000007
2006511761.tif 000008
2006511761.tif 000009
2006511761.tif 000010
2006511761.tif 000011
2006511761.tif 000012